(57)【要約】【課題】  盤内のコントローラの保守及び監視を行う作業員の負担を軽減することができ、作業時間を短縮することができ、作業員のミスを防止することができる監視制御装置、監視制御方法、プログラム、監視制御システム及び端末装置を提供する。【解決手段】  監視制御装置は、通信部、記憶部及び処理部を有した情報伝送無線装置を備える。処理部は、端末装置から盤に表示されている識別コードの画像情報を受信し、画像情報から盤内のコントローラの位置情報を把握し（Ｓｂ１）、把握した位置情報と、記憶部に登録されている盤配置情報とから、盤内のコントローラを特定し（Ｓｂ２）、特定したコントローラに関する信号の項目情報を含む接続情報と、項目情報に付帯したタグ情報と、を含む外線情報を、端末装置に送信する（Ｓｂ３）。【選択図】図２
2012174201.tif 000002
【特許請求の範囲】
【請求項１】
端末装置と無線通信することにより盤内のコントローラを監視及び制御する監視制御装置であって、
前記端末装置と無線通信が可能な通信部と、前記盤配置情報を登録可能な記憶部と、前記通信部を介して送受信される情報を処理する処理部と、を有した情報伝送無線装置を備え、
前記処理部は、
前記端末装置から前記盤に表示されている識別コードの画像情報を受信し、前記画像情報から前記盤内のコントローラの位置情報を把握し、
前記把握した位置情報と、前記記憶部に登録されている前記盤配置情報とから、前記盤内のコントローラを特定し、
前記特定したコントローラに関する信号の項目情報を含む接続情報と、前記項目情報に付帯したタグ情報と、を含む外線情報を、前記端末装置に送信する、監視制御装置。
【請求項２】
前記盤内のコントローラを監視する監視サーバをさらに備え、
前記処理部は、前記外線情報を前記端末装置に送信した後に、前記端末装置から、前記信号の項目の現在情報を要求する第１要求コマンドを受信した場合、さらに、
前記第１要求コマンドに対応した監視情報を要求する第２要求コマンドを前記監視サーバに送信し、
前記監視サーバから前記第２要求コマンドに対応した前記監視情報を受信し、前記監視情報を前記端末装置に送信する、請求項１に記載の監視制御装置。
【請求項３】
前記処理部は、前記監視情報を前記端末装置に送信した後に、前記端末装置から、前記信号の項目の現在状態の変更を要求する第３要求コマンドを受信した場合、さらに、
前記第３要求コマンドに対応した、前記現在状態を変更する制御を要求する第４要求コマンドを監視サーバに送信し、
前記第４要求コマンドに応じて前記現在状態を変更する制御を行った前記監視サーバから制御情報を受信し、前記制御情報を前記端末装置に送信する、請求項２に記載の監視制御装置。
【請求項４】
端末装置と無線通信することにより盤内のコントローラを監視及び制御する監視制御方法であって、
前記端末装置から前記盤に表示されている識別コードの画像情報を受信し、前記画像情報から前記盤内のコントローラの位置情報を把握し、
前記把握した位置情報と、記憶部に登録されている盤配置情報とから、前記盤内のコントローラを特定し、
前記特定したコントローラに関する信号の項目情報を含む接続情報と、前記項目情報に付帯したタグ情報と、を含む外線情報を、前記端末装置に送信する、監視制御方法。
【請求項５】
端末装置と無線通信することにより盤内のコントローラを監視及び制御するコンピュータに、
前記端末装置から前記盤に表示されている識別コードの画像情報を受信し、前記画像情報から前記盤内のコントローラの位置情報を把握する処理と、
前記把握した位置情報と、記憶部に登録されている盤配置情報とから、前記盤内のコントローラを特定する処理と、
前記特定したコントローラに関する信号の項目情報を含む接続情報と、前記項目情報に付帯したタグ情報と、を含む外線情報を、前記端末装置に送信する処理と、
を実現させる、プログラム。
【請求項６】
内部に設けられたコントローラを有した盤と、
監視制御装置と、
端末装置と、を備え、
前記監視制御装置は、前記端末装置と無線通信が可能な通信部と、前記盤配置情報を登録可能な記憶部と、前記通信部を介して送受信される情報を処理する処理部と、を有した情報伝送無線装置を備え、前記端末装置と無線通信することにより盤内のコントローラを監視及び制御可能であり、
前記端末装置は、前記監視制御装置と無線通信が可能な通信部と、前記盤に表示されている識別コードを撮影する撮影部と、画面を有した表示部と、前記通信部を介して送受信される情報を処理する処理部と、前記処理部による処理を選択するための入力部と、を備え、前記監視制御装置と無線通信することにより盤内のコントローラを監視及び制御可能であり、
前記端末装置の処理部は、前記撮影部にて撮影された前記盤に表示されている識別コードの画像情報を取得し、前記盤内のコントローラに対応付けられたコントローラ画像を含む外線情報読込機能画像を前記画面に表示させ、前記画像情報を前記監視制御装置に送信し、
前記監視制御装置の処理部は、前記画像情報を受信し、前記画像情報から前記盤内のコントローラの位置情報を把握し、前記把握した位置情報と、前記記憶部に登録されている前記盤配置情報とから、前記盤内のコントローラを特定し、前記特定したコントローラに関する信号の項目情報を含む接続情報と、前記項目情報に付帯したタグ情報と、を含む外線情報を、前記端末装置に送信し、
前記端末装置の処理部は、前記監視制御装置から、前記外線情報を受信し、前記画面に、前記外線情報読込機能画像に重ねてタグを表示させ、前記タグが選択されることにより、対応する前記コントローラに関する前記信号の項目を含む接続図を前記画面に表示させる、監視制御システム。
【請求項７】
前記監視制御装置は、前記盤内のコントローラを監視する監視サーバをさらに備え、
前記端末装置の処理部は、前記画面に表示されている前記信号の項目の現在情報を要求する場合、さらに、前記現在情報を要求する第１要求コマンドを前記監視制御装置に送信し、
前記監視制御装置の処理部は、前記第１要求コマンドを受信し、前記第１要求コマンドに対応した監視情報を要求する第２要求コマンドを前記監視サーバに送信し、前記監視サーバから前記第２要求コマンドに対応した前記監視情報を受信し、前記監視情報を前記端末装置に送信し、
前記端末装置の処理部は、前記監視制御装置から前記監視情報を受信し、前記監視情報に基づいて前記信号の項目の現在情報を取得し、前記画面に、前記信号の項目の現在状態を表示させる、請求項６に記載の監視制御システム。
【請求項８】
前記端末装置の処理部は、前記画面に前記信号の項目の現在状態を表示させた後に、前記現在状態の変更が選択された場合、さらに、前記画面に、前記選択された現在状態の変更内容を表示し、前記選択された現在状態の変更を要求する第３要求コマンドを前記監視制御装置に送信し、
前記監視制御装置の処理部は、前記端末装置から前記第３要求コマンドを受信し、前記第３要求コマンドに対応した、前記現在状態を変更する制御を要求する第４要求コマンドを監視サーバに送信し、前記第４要求コマンドに応じて前記現在状態を変更する制御を行った前記監視サーバから制御情報を受信し、前記制御情報を前記端末装置に送信し、
前記端末装置の処理部は、前記監視制御装置から前記制御情報を受信し、前記制御情報に基づいて、前記画面に、前記信号の項目の変更後の状態を表示させる、請求項７に記載の監視制御システム。
【請求項９】
監視制御装置と無線通信することにより盤内のコントローラを監視及び制御する端末装置であって、
前記監視制御装置と無線通信が可能な通信部と、
前記盤に表示されている識別コードを撮影する撮影部と、
画面を有した表示部と、
前記通信部を介して送受信される情報を処理する処理部と、
前記処理部による処理を選択するための入力部と、を備え、
前記処理部は、
前記撮影部にて撮影された前記盤に表示されている識別コードの画像情報を取得し、
前記盤内のコントローラに対応付けられたコントローラ画像を含む外線情報読込機能画像を前記画面に表示させ、
前記画像情報を前記監視制御装置に送信し、
前記監視制御装置から、前記画像情報から特定された前記コントローラに関する信号の項目情報を含む接続情報と、前記項目情報に付帯したタグ情報と、を含む外線情報を受信し、前記画面に、前記外線情報読込機能画像に重ねてタグを表示させ、
前記タグが選択されることにより、対応する前記コントローラに関する前記信号の項目を含む接続図を前記画面に表示させる、端末装置。
【請求項１０】
前記処理部は、前記画面に表示されている前記信号の項目の現在情報を要求する場合、さらに、
前記現在情報を要求する要求コマンドを前記監視制御装置に送信し、
前記監視制御装置から、前記要求コマンドに対応した監視情報を受信し、前記監視情報に基づいて前記信号の項目の現在情報を取得し、前記画面に、前記信号の項目の現在状態を表示させる、請求項９に記載の端末装置。
【請求項１１】
前記処理部は、前記画面に前記信号の項目の現在状態を表示させた後に、前記現在状態の変更が選択された場合、さらに、
前記画面に、前記選択された現在状態の変更内容を表示し、
前記選択された現在状態の変更を要求する他の要求コマンドを前記監視制御装置に送信し、
前記監視制御装置から、前記他の要求コマンドに対応した制御情報を受信し、前記制御情報に基づいて、前記画面に、前記信号の項目の変更後の状態を表示させる、請求項１０に記載の端末装置。
【発明の詳細な説明】
【技術分野】
【０００１】
本発明の実施形態は、監視制御装置、監視制御方法、プログラム、監視制御システム及び端末装置に関する。
【背景技術】
【０００２】
一般に、空港やビル施設等に、監視制御システムが採用されている。監視制御システムは、コントローラが設けられた盤と、盤内のコントローラを監視及び制御可能な監視制御装置と、を備えている。盤は複数個所に設置されている。
【０００３】
盤内のコントローラの外線情報を把握する際、作業員は、盤が設置されている現場まで展開接続書を持参する。展開接続書には、該当コントローラの展開接続図面等が記載されている。その後、作業員は、展開接続書から、該当コントローラの展開接続図面が記載されているページを展開し、展開接続図面と照らし合わせて外線情報を把握して行う。外線情報を把握する際、現場の作業員は、監視制御装置が設置された中央監視室の作業員とトランシーバ等を利用して情報を取り交わすことにより行う。
【先行技術文献】
【特許文献】
【０００４】
【特許文献１】特開２０１０−２３１７４１号公報
【特許文献２】特開２００９−２３７９２７号公報
【発明の概要】
【発明が解決しようとする課題】
【０００５】
ところで、上記監視制御システムにおいては、次に挙げるような課題がある。  
（１）展開接続書を探したり、展開接続書を現場まで持参したりする必要があるため、作業員の負担となってしまう。展開接続書が大きいサイズであったり、重かったりすると、作業員の一層の負担となってしまう。  
（２）作業に時間が掛かってしまう。  
（３）展開接続書から誤ったページを展開した場合、作業にミスが生じてしまう。  
（４）作業時に、現場への人員の配置だけでなく、中央監視室への人員の配置も必要となってしまう。
【０００６】
この発明は以上の点に鑑みなされたもので、その目的は、盤内のコントローラの保守及び監視を行う作業員の負担を軽減することができ、作業時間を短縮することができ、作業員のミスを防止することができる監視制御装置、監視制御方法、プログラム、監視制御システム及び端末装置を提供することにある。
【課題を解決するための手段】
【０００７】
一実施形態に係る監視制御装置は、
端末装置と無線通信することにより盤内のコントローラを監視及び制御する監視制御装置であって、
前記端末装置と無線通信が可能な通信部と、前記盤配置情報を登録可能な記憶部と、前記通信部を介して送受信される情報を処理する処理部と、を有した情報伝送無線装置を備え、
前記処理部は、
前記端末装置から前記盤に表示されている識別コードの画像情報を受信し、前記画像情報から前記盤内のコントローラの位置情報を把握し、
前記把握した位置情報と、前記記憶部に登録されている前記盤配置情報とから、前記盤内のコントローラを特定し、
前記特定したコントローラに関する信号の項目情報を含む接続情報と、前記項目情報に付帯したタグ情報と、を含む外線情報を、前記端末装置に送信する、ものである。
【０００８】
また、一実施形態に係る監視制御方法は、
端末装置と無線通信することにより盤内のコントローラを監視及び制御する監視制御方法であって、
前記端末装置から前記盤に表示されている識別コードの画像情報を受信し、前記画像情報から前記盤内のコントローラの位置情報を把握し、
前記把握した位置情報と、記憶部に登録されている盤配置情報とから、前記盤内のコントローラを特定し、
前記特定したコントローラに関する信号の項目情報を含む接続情報と、前記項目情報に付帯したタグ情報と、を含む外線情報を、前記端末装置に送信する、ものである。
【０００９】
また、一実施形態に係るプログラムは、
端末装置と無線通信することにより盤内のコントローラを監視及び制御するコンピュータに、
前記端末装置から前記盤に表示されている識別コードの画像情報を受信し、前記画像情報から前記盤内のコントローラの位置情報を把握する処理と、
前記把握した位置情報と、記憶部に登録されている盤配置情報とから、前記盤内のコントローラを特定する処理と、
前記特定したコントローラに関する信号の項目情報を含む接続情報と、前記項目情報に付帯したタグ情報と、を含む外線情報を、前記端末装置に送信する処理と、
を実現させる、ものである。
【００１０】
また、一実施形態に係る監視制御システムは、
内部に設けられたコントローラを有した盤と、
監視制御装置と、
端末装置と、を備え、
前記監視制御装置は、前記端末装置と無線通信が可能な通信部と、前記盤配置情報を登録可能な記憶部と、前記通信部を介して送受信される情報を処理する処理部と、を有した情報伝送無線装置を備え、前記端末装置と無線通信することにより盤内のコントローラを監視及び制御可能であり、
前記端末装置は、前記監視制御装置と無線通信が可能な通信部と、前記盤に表示されている識別コードを撮影する撮影部と、画面を有した表示部と、前記通信部を介して送受信される情報を処理する処理部と、前記処理部による処理を選択するための入力部と、を備え、前記監視制御装置と無線通信することにより盤内のコントローラを監視及び制御可能であり、
前記端末装置の処理部は、前記撮影部にて撮影された前記盤に表示されている識別コードの画像情報を取得し、前記盤内のコントローラに対応付けられたコントローラ画像を含む外線情報読込機能画像を前記画面に表示させ、前記画像情報を前記監視制御装置に送信し、
前記監視制御装置の処理部は、前記画像情報を受信し、前記画像情報から前記盤内のコントローラの位置情報を把握し、前記把握した位置情報と、前記記憶部に登録されている前記盤配置情報とから、前記盤内のコントローラを特定し、前記特定したコントローラに関する信号の項目情報を含む接続情報と、前記項目情報に付帯したタグ情報と、を含む外線情報を、前記端末装置に送信し、
前記端末装置の処理部は、前記監視制御装置から、前記外線情報を受信し、前記画面に、前記外線情報読込機能画像に重ねてタグを表示させ、前記タグが選択されることにより、対応する前記コントローラに関する前記信号の項目を含む接続図を前記画面に表示させる、ものである。
【００１１】
また、一実施形態に係る端末装置は、
監視制御装置と無線通信することにより盤内のコントローラを監視及び制御する端末装置であって、
前記監視制御装置と無線通信が可能な通信部と、
前記盤に表示されている識別コードを撮影する撮影部と、
画面を有した表示部と、
前記通信部を介して送受信される情報を処理する処理部と、
前記処理部による処理を選択するための入力部と、を備え、
前記処理部は、
前記撮影部にて撮影された前記盤に表示されている識別コードの画像情報を取得し、
前記盤内のコントローラに対応付けられたコントローラ画像を含む外線情報読込機能画像を前記画面に表示させ、
前記画像情報を前記監視制御装置に送信し、
前記監視制御装置から、前記画像情報から特定された前記コントローラに関する信号の項目情報を含む接続情報と、前記項目情報に付帯したタグ情報と、を含む外線情報を受信し、前記画面に、前記外線情報読込機能画像に重ねてタグを表示させ、
前記タグが選択されることにより、対応する前記コントローラに関する前記信号の項目を含む接続図を前記画面に表示させる、ものである。
【図面の簡単な説明】
【００１２】
【図１】図１は、第１の実施形態に係る監視制御システムを示すブロック図である。
【図２】図２は、図１に示した端末装置の処理部の処理例、及び監視制御装置の情報伝送無線装置の処理例を示すフローチャートである。
【図３】図３は、上記端末装置を示す正面図であり、画面に外線情報読込機能画像を表示している状態を示す図である。
【図４】図４は、上記端末装置を示す正面図であり、画面に外線情報読込機能画像に重ねてタグを表示している状態を示す図である。
【図５】図５は、上記端末装置を示す正面図であり、選択されたタグに対応するコントローラに関する信号の項目を含む接続図を画面に表示している状態を示す図である。
【図６】図６は、第２の実施形態に係る監視制御システムの端末装置の処理部の処理例、及び監視制御装置の情報伝送無線装置の処理例を示すフローチャートであり、図２に示したオプションを示すフローチャートである。
【図７】図７は、上記端末装置を示す正面図であり、信号の項目の現在状態を画面に表示している状態を示す図である。
【図８】図８は、上記端末装置を示す正面図であり、画面に、信号の項目の現在状態の変更内容を表示している状態を示す図である。
【発明を実施するための形態】
【００１３】
以下、図面を参照しながら第１の実施形態に係る監視制御装置、端末装置、監視制御装置及び端末装置を備えた監視制御システムについて詳細に説明する。併せて、監視制御装置による監視制御方法、監視制御装置で用いられるプログラム、端末装置による監視制御方法、端末装置で用いられるプログラムについても説明する。以下に説明するように、プログラムは、コンピュータを手段として機能させるものである。
【００１４】
図１に示すように、監視制御システムは、空港やビル施設等に採用されている。監視制御システムは、例えば中央監視室に設置される監視制御装置１と、端末装置２と、複数個所に設置される複数の盤３と、を備えている。監視制御装置１及び端末装置２は、無線通信可能であり、ここでは、無線ＬＡＮ接続できるものである。
【００１５】
盤３を１つ採り上げて説明すると、盤３の内部には、複数のコントローラ群３１乃至３５が配置されている。各コントローラ群は複数のコントローラを有している。この実施形態において、各コントローラ群は８個のコントローラを有している。
【００１６】
盤３には、図示しない識別コードが貼付され、表示されている。識別コードは、盤３の内部のコントローラの位置情報を示すものである。この実施形態において、識別コードは、盤３の内部の全てのコントローラ（全てのコントローラ群）に対応付けられているが、これに限らず、各コントローラ群に対応付けられていたり、各コントローラに対応付けられていたりしてもよく、この場合、複数の識別コードを盤３（各コントローラ群、又は各コントローラ）に表示すればよい。また、識別コードは、ＱＲコードなどの２次元コードであり、盤３の内部に貼付され、盤３の扉を開くことにより現場の作業者に表示（撮影）可能となる。
【００１７】
監視制御装置１は、監視サーバ１１と、ヒューマンインタフェイス（ＨＭＩ）装置１２と、情報伝送無線装置１３と、伝送路１４とを備えている。監視サーバ１１は、盤３の内部のコントローラを監視するものである。ヒューマンインタフェイス装置１２は、作業員による入力を行うものである。
【００１８】
情報伝送無線装置１３は、端末装置２と無線通信が可能な通信部１５と、盤配置情報（盤３の内部のコントローラの配置情報）を登録可能な記憶部１６と、通信部１５を介して送受信される情報を処理する処理部１７と、を有している。記憶部１６には、コントローラの位置情報と、盤配置情報とから対応付けられる管理テーブルもデータ化され、登録されている。管理テーブルとしては、コントローラ名称等を含むコントローラに供給される信号の項目情報を有している。その他、記憶部１６には、項目情報に付帯したタグ情報を有している。
【００１９】
伝送路１４には、監視サーバ１１、ヒューマンインタフェイス（ＨＭＩ）装置１２及び処理部１７が接続され、さらに複数の盤３も接続されている。  
監視制御装置１は、端末装置２と無線通信することにより盤３の内部のコントローラを監視及び制御可能である。
【００２０】
端末装置２は、監視制御装置１と無線通信が可能な通信部２１と、盤３に表示されている識別コードを撮影する撮影部としてのカメラ２２と、画面Ｓ（図３）を有した表示部２３と、通信部２１を介して送受信される情報を処理する処理部２４と、処理部２４による処理を選択するための入力部２５と、を備えている。
【００２１】
通信部２１、カメラ２２、表示部２３、処理部２４及び入力部２５は、ケースＣ内に収容されている。カメラ２２は、一部ケースＣの外部に露出して設けられている。表示部２３は、画面ＳがケースＣの外部に露出するように設けられている。入力部２５は、ここでは位置座標入力が可能なタッチパネルであり、画面Ｓに重なって設けられている。端末装置２には、図示しないボタン等も有し、入力部２５以外の入力も可能としている。
【００２２】
端末装置２は、監視制御装置１と無線通信することにより盤３の内部のコントローラを監視及び制御可能である。端末装置２は、小型かつ軽量である。
【００２３】
次に、上記監視制御システムの一層詳しい構成を説明するため、現場の作業員による盤３の内部のコントローラの保守及び監視について説明する。この際、監視制御装置１による監視制御方法、及び端末装置２による監視制御方法について説明する。特に、端末装置２の処理部２４の処理例、及び監視制御装置１の情報伝送無線装置１３（処理部１７）の処理例について説明する。
【００２４】
図１及び図２に示すように、現場の作業員が、盤３が設置されている現場まで端末装置２を持参し、盤３に表示されている識別コードをカメラ２２にて撮影することにより、現場の作業員による盤３の内部のコントローラの保守及び監視が開始すると、まず、ステップＳａ１において、処理部２４は、カメラ２２にて撮影された、盤３に表示されている識別コードの画像情報を取得する。
【００２５】
続いて、ステップＳａ２において、処理部２４は、盤３の内部のコントローラに対応付けられたコントローラ画像を含む外線情報読込機能画像Ｐ１を画面Ｓに表示させる（図３）。図３に示す例では、コントローラ群３１乃至３３のコントローラ画像が表示されている。なお、現場の作業員が入力部２５を利用してスクロールすることにより、コントローラ群３４及び３５のコントローラ画像を表示することも可能である。
【００２６】
次いで、ステップＳａ３において、処理部２４は、取得した画像情報を監視制御装置１に送信する。なお、処理部２４は、ステップＳａ２とステップＳａ３の順序を入れ替えて処理してもよい。
【００２７】
処理部１７は、端末装置２から画像情報を受信すると、ステップＳｂ１において、画像認識処理により、画像情報から盤３の内部のコントローラの位置情報を把握し、続くステップＳｂ２において、把握した位置情報と、記憶部１６に予め登録されている盤配置情報とから、盤３の内部のコントローラを特定する。その後、ステップＳｂ３において、処理部１７は、特定したコントローラに関する信号の項目情報を含む接続情報と、項目情報に付帯したタグ情報と、を含む外線情報を、端末装置２に送信する。
【００２８】
次いで、ステップＳａ４において、処理部２４は、監視制御装置１から外線情報を受信し、画面Ｓに、外線情報読込機能画像Ｐ１に重ねて複数のタグＰ２を表示させる（図４）。タグＰ２の表示は、拡張現実にて実現されている。ここでは、複数のタグＰ２は、複数種類の色に分けられて表示されている。
【００２９】
図４に示す例では、コントローラ群３１乃至３３の全てのコントローラに一対一でタグＰ２を表示させている。タグＰ２としては、コントローラ群３１のコントローラに対応したＩＯ−Ｐ１２乃至ＩＯ−Ｐ１９、コントローラ群３２のコントローラに対応したＩＯ−Ｐ２２乃至ＩＯ−Ｐ２９、コントローラ群３３のコントローラに対応したＩＯ−Ｐ３２乃至ＩＯ−Ｐ３９、等が挙げられている。
【００３０】
その後、ステップＳａ５において、処理部２４は、タグＰ２が選択されることにより、対応するコントローラに関する信号の項目Ｉ（外線情報）を含む接続図Ｐ３を画面Ｓに表示させる（図５）。図５に示す例では、ＩＯ−Ｐ２３のタグＰ２が選択されている。画面Ｓには、接続図Ｐ３の他、設定ボタン、キャンセルボタン及び閉じるボタンも表示（拡張現実）されている。なお、現場の作業員がタグＰ２を選択する際は、入力部２５を利用することができる。
【００３１】
次いで、ステップＳａ６において、処理部２４は、必要に応じてオプションの処理を行うことにより処理部２４の処理が終了し、ステップＳｂ４において、処理部１７は、必要に応じてオプションの処理を行うことにより処理部１７の処理が終了し、これにより、現場の作業員による盤３の内部のコントローラの保守及び監視が終了する。
【００３２】
上記のように構成された第１の実施形態に係る監視制御装置１、端末装置２、監視制御システム、監視制御方法及びプログラムによれば、端末装置２にて盤３に表示されている識別コードを撮影し、監視制御装置１と無線通信することにより、画面ＳにタグＰ２を表示（拡張現実）させることができる。その後、現場の作業員が入力部２５を利用してタグＰ２を選択することにより、対応するコントローラに関する信号の項目Ｉを含む接続図Ｐ３を画面Ｓに表示させることができる。
【００３３】
（１）現場の作業員が従来の展開接続書を探したり、展開接続書を現場まで持参したりする必要は無いため、作業員の負担を軽減させることができる。（２）上記の他、監視制御装置が設置された中央監視室の作業員と情報を取り交わす必要も無いため、作業に掛かる時間を短縮することができる。（３）従来の展開接続書を使用する必要は無いため、展開接続書から誤ったページを展開した場合に生じる作業ミスを防止することができる。（４）作業時に、中央監視室への保守及び監視のための人員の配置は必要無いため、人員の削減を図ることができる。
【００３４】
上記したことから、盤内のコントローラの保守及び監視を行う作業員の負担を軽減することができ、作業時間を短縮することができ、作業員のミスを防止することができる監視制御装置、監視制御方法、プログラム、監視制御システム及び端末装置を得ることができる。
【００３５】
次に、第２の実施形態に係る監視制御装置、端末装置、監視制御装置及び端末装置を備えた監視制御システムについて詳細に説明する。併せて、監視制御装置による監視制御方法、監視制御装置で用いられるプログラム、端末装置による監視制御方法、端末装置で用いられるプログラムについても説明する。なお、この実施形態において、監視制御システムの構成は上述した第１の実施形態と同一であり、同一の部分には同一の符号を付してその詳細な説明を省略する。
【００３６】
この実施形態では、上記監視制御システムの一層詳しい構成を説明するため、現場の作業員による盤３の内部のコントローラの保守及び監視についてさらに説明する。この際、監視制御装置１による監視制御方法、及び端末装置２による監視制御方法について説明する。特に、端末装置２の処理部２４の処理例、及び監視制御装置１の情報伝送無線装置１３（処理部１７）の処理例について説明する。以下、図２に示したステップＳａ６のオプション及びステップＳｂ４のオプションの例について説明する。
【００３７】
図１及び図６に示すように、現場の作業員が、図２に示したステップＳａ６のオプション及びステップＳｂ４のオプションが必要であると判断し、現場の作業員による盤３の内部のコントローラの保守及び監視の継続が開始すると、すなわち、画面Ｓに表示されている信号の項目Ｉの現在情報を要求する場合、まず、ステップＳｃ１において、処理部２４は、現在情報を要求する第１要求コマンドを監視制御装置１に送信する。
【００３８】
次いで、ステップＳｄ１において、処理部１７は、第１要求コマンドを受信し、第１要求コマンドに対応した監視情報を要求する第２要求コマンドを監視サーバ１１に送信する。続いて、ステップＳｄ２において、処理部１７は、監視サーバ１１から第２要求コマンドに対応した監視情報を受信し、監視情報を端末装置２に送信する。
【００３９】
その後、ステップＳｃ２において、処理部２４は、監視制御装置１から監視情報を受信し、監視情報に基づいて信号の項目Ｉの現在情報を取得し、画面Ｓに、信号の項目Ｉの現在状態ＰＴを表示させる（図７）。例えば、ＯＮ／ＯＦＦを色分けすることにより、信号の項目Ｉの現在状態ＰＴを識別可能としている。ここでは、信号の現在状態ＰＴを赤色にて表示している。
【００４０】
その後、ステップＳｃ３において、処理部２４は、現在状態ＰＴの変更が選択されるかどうかを判断する。上記の判断は、例えば、現在状態ＰＴの変更が入力部２５を利用して選択されるのかどうかにより行われる。
【００４１】
現在状態ＰＴの変更が選択されなかった場合（ステップＳｃ３）、すなわち、作業員が現在状態ＰＴの変更の必要が無いと判断した場合、処理部２４及び処理部１７の処理が終了し、これにより、現場の作業員による盤３の内部のコントローラの保守及び監視が終了する。
【００４２】
現在状態ＰＴの変更が選択された場合（ステップＳｃ３）、すなわち、作業員が現在状態ＰＴの変更の必要があると判断した場合、ステップＳｃ４に移行する。ステップＳｃ４において、現在状態ＰＴの変更が選択されることにより、処理部２４は、画面Ｓに、選択された現在状態ＰＴの変更内容Ｄを表示する（図８）。図８に示す例では、現場の作業員が入力部２５を利用してＮｏ．３の照明発電機Ｃ系の信号の「切」を選択することにより、変更内容Ｄが表示される。ここでは、「切」を青色にて表示し、変更内容Ｄの識別を可能としている。
【００４３】
その後、現場の作業員は、変更内容Ｄに誤りが無いことを確認すると、入力部２５を利用して画面Ｓの設定ボタンを選択する。これにより、ステップＳｃ５において、処理部２４は、選択された現在状態ＰＴの変更を要求する第３要求コマンドを監視制御装置１に送信する。
【００４４】
次いで、ステップＳｄ３において、処理部１７は、第３要求コマンドを受信し、第３要求コマンドに対応した、現在状態ＰＴを変更する制御を要求する第４要求コマンドを監視サーバ１１に送信する。これにより、監視サーバ１１は、第４要求コマンドに応じて現在状態ＰＴを変更する制御を行う。続いて、ステップＳｄ４において、処理部１７は、現在状態ＰＴを変更する制御を行った監視サーバ１１から制御情報を受信し、制御情報を端末装置２に送信する。
【００４５】
その後、ステップＳｃ６において、処理部２４は、監視制御装置１から制御情報を受信し、制御情報に基づいて画面Ｓに信号の項目Ｉの変更後の状態（現在状態）を表示させる（図示せず）。これにより、処理部２４及び処理部１７の処理が終了し、現場の作業員による盤３の内部のコントローラの保守及び監視が終了する。
【００４６】
上記のように構成された第２の実施形態に係る監視制御装置１、端末装置２、監視制御システム、監視制御方法及びプログラムによれば、監視制御装置１、端末装置２、監視制御システム、監視制御方法及びプログラムは、上記第１の実施形態と同様に構成されているため、上記第１の実施形態と同様の効果を得ることができる。
【００４７】
作業員は、端末装置２を用いて監視制御装置１の監視情報を現場に居ながら把握することができ、監視制御装置１と連携することにより、任意の信号を制御することができる。
【００４８】
上記したことから、盤内のコントローラの保守及び監視を行う作業員の負担を軽減することができ、作業時間を短縮することができ、作業員のミスを防止することができる監視制御装置、監視制御方法、プログラム、監視制御システム及び端末装置を得ることができる。
【００４９】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１…監視制御装置、２…端末装置、３…盤、１１…監視サーバ、１３…情報伝送無線装置、１４…伝送路、１５…通信部、１６…記憶部、１７…処理部、２１…通信部、２２…カメラ、２３…表示部、２４…処理部、２５…入力部、３１〜３５…コントローラ群、Ｃ…ケース、Ｓ…画面、Ｐ１…外線情報読込機能画像、Ｐ２…タグ、Ｐ３…接続図、Ｉ…項目、ＰＴ…現在状態、Ｄ…変更内容。
【図１】
2012174201.tif 000003
【図２】
2012174201.tif 000004
【図３】
2012174201.tif 000005
【図４】
2012174201.tif 000006
【図５】
2012174201.tif 000007
【図６】
2012174201.tif 000008
【図７】
2012174201.tif 000009
【図８】
2012174201.tif 000010